(57)【要約】      （修正有）【課題】サイト内には個人情報部分の情報を保存せず、個人情報を必要とする場合には情報登録者に連絡を取ることで、情報登録者が個人情報を管理するシステムを提供する。【解決手段】電子メールを利用し、情報を登録した人に電子メールを入れ、情報登録者が適当と判断された人に対してだけ、不足している個人情報が情報登録者より知らされる。ここで利用する電子メールは、フリーメールまたは個人情報を個人で管理できるメールシステムを使用することで、個人情報の開示を個人の判断に任せ、サイト内の不完全な情報データベースに情報登録者を組み込んだ、情報データベースサイトとなる。【選択図】図１
2010086507.tif 000002
【特許請求の範囲】
【請求項１】
情報の一部を最初から登録しないデータベースシステムと、フリーメール、またはメールアドレスより個人を特定できないメールシステムを使用することにより、インターネットメールを通して直接情報登録者をデータベースの一部として組み込んだデータベースシステムを利用するビジネスモデル。
【請求項２】
前期メールシステムをインターネットメール及び携帯メールであることを特徴とする請求項１記載のビジネスモデル。
【請求項３】
不完全な情報データベースを利用することにより、サイトを経由したインターネットメールを利用しないことには情報を活用できないサイトの課金システム。
【請求項４】
不完全な情報データベースを利用することにより、サイトを経由した携帯メールを利用しないことには情報を活用できないサイトの課金システム。
【発明の詳細な説明】
【技術分野】
【０００１】  この発明は、インターネットを介して個人情報を扱うサイト運営に関する。【０００２】
【発明の効果】
【０００３】  サイト内のデータベースを、あえて個人情報の一部を欠いた不完全な状態とし、個人名や住所、電話番号などの情報は情報登録者がデータベースと分離し、必要とされるときにインターネットメールで、必要な情報だけを必要とされる人に提供することで、個人情報漏洩を未然に防ぐことが可能となります。
【０００４】  また、必ず情報登録者にインターネットメールで連絡を入れ、不足している情報を得ないことには情報を利用できないために、必ず課金出来る仕組みとなります。
【効果をもたらした工夫】
【０００５】  フリーメール、またはメールアドレスより個人を特定できないメールシステムを使用することにより、情報登録者は、サイト運営者からも個人を特定できなくなります。
【０００６】  サイトのサービスを受けるための会員入会時にフリーメール、またはメールアドレスより個人を特定できないメールシステムを使用することにより、サービスを受けるためにログインするために登録時のメールアドレスを入力することで、情報を登録する場合も、利用する場合もメールアドレスを意識せずにサービスを受けることが出来ます。
【０００７】  有料で登録された情報は、詳細から情報登録者に直接連絡が取れ、問い合わせ欄に自分の個人情報を書かない限り、情報登録者にはログイン時のメールアドレスと問い合わせ内容だけが伝わります。
この事は、会社の求人情報などでより詳しいことが聞きたい求職者にとって、自分の情報を明かすことなく問い合わせが出来、求職者の情報だけを集めているような広告の対策となります。
【０００８】  情報利用者からの課金では、サイト内カテゴリ毎に日々異なるキーワードを設定することにより、１日だけ自由に情報登録者に連絡を取ることが出来る仕組みとなります。
サイトのルールとして、利用時間を制限（仮に朝１０時〜翌日朝６時までを１日とする）することで、毎回の利用に対して課金が可能となります。
【０００９】  問い合わせの仕組みより、登録者のアドレスは表示されませんので、問い合わせをして回答が帰ってきた登録者以外のアドレスは、情報利用者の手元には残りません。従って連絡先のアドレス情報を集めて、
【従来の手法】
【００１０】  この種の情報を集めたデータベースでは、一元で管理することが常識であり、最初に登録者のデータを詳細まで入力する形となります。
登録された情報に関して、個々の条件に合わせて検索された後、指定された内容だけがディスプレイに表示されたり、プリントされたりします。
情報が全てデータベース内に存在するため、結果は即時表示またはプリントされます。
【従来手法の問題点】
【００１１】  個人情報保護の観点から言えば、登録された情報にたいしサイト運営者が掲載情報のチェックを行うことが難しいが有ります。
入力内容が複数から選択であれば問題有りませんが、自由に登録者が情報を入力できる形になっていると、入力された内容に、個人情報及び他人の情報など掲載することに問題がある内容の情報であっても、判断が非常に難しくなります。
【００１２】  また、情報を扱うサイトとしても、情報の遺漏や改ざん防止にスタッフの隔離や、サーバーのセキュリティーなど、多大な費用が必要となります。
さらに費用を掛けたから万全かと言えば、些細なことからトラブルが発生しますので、費用を掛けたらある程度は安全といえるだけが現状で、根本的な解決策が無いのが現実です。
【００１３】  課金としても、就職が決まったことによる成功報酬や、掲載することに対する掲載料的な内容がほとんどで、求職者への直接アプローチであれば、さながら出会い系サイトで見受けられる、連絡は全てサイト内だけを利用し、回数に対し課金する仕組み程度です。
【実施例】
【００１４】  個人情報分離型情報発信サイトを立ち上げます。
利用者は、サイトにログインすることで全てのサービスを受けられますが、ログインしないことにはサイト内の情報を閲覧出来るだけとなります。
ログインするには会員となる必要がありますが、ここでフリーメールのメールアドレス登録（今回はＧｍａｉｌ使用）とパスワード、後に年齢で問題が出ないように生まれ年の登録をさせます。【００１５】  登録完了後、フリーメールとパスワードを入力してログインすることでサービスを受けることが出来ます。【００１６】  情報を閲覧するには先ず地域を指定し、次にカテゴリ（求人・求職など）により検索する情報を指定します。
検索する情報を絞り込みたい場合は、キーワードを入力することで絞り込みも可能です。条件に合う情報の一覧が表示され、さらに詳細情報として登録されている個々の情報を見ることが出来ます。【００１７】  詳細情報で今までのこの種のサイトと大きく異なることは、登録者の名前や住所、連絡先といった情報が書かれていないことです。
有料情報（登録者が事前に費用を払っている）では、「連絡を取る」ボタンが有りますので、これをクリックすることで画面上に質問欄が表示され、この質問欄に、情報登録者に問い合わせしたいことを記入します。【００１８】  情報登録者の連絡先は画面には表示さず、以後閲覧者が情報登録者に連絡を取る手段はサイトからか、情報登録者からの回答のメールアドレスだけとなります。
閲覧者のメールアドレスなどが記入されていなくても、ログイン時に入力したフリーメールのアドレスがメールに付加されますので、情報登録者は問い合わせに対して回答することが出来ます。【００１９】  当然、閲覧者が自分の情報（会社名や個人名、メールアドレスなど）を提示することが、情報登録者からも回答が届きやすいと思いますが、共に個人情報をさらさずに連絡を取ることが可能となります。【００２０】  無料情報（情報登録者が費用を払っていない場合）には、「連絡を取る」ボタンが表示されないため、サイト運営者にアポイントキーの発行を依頼します。
アポイントキーはカテゴリにより料金が異なりますので、サイト運営者からのメールに従い所定の料金を指定口座に振り込むと、サイト運営者から期間限定のアポイントキーがメールにて届きます。【００２１】  このアポイントキーを情報検索の画面で入力すると、そのカテゴリ内の全ての情報に対して「連絡を取る」ボタンが表示され、情報登録者に問い合わせが可能となります。
アポイントキーは日々変更されるため、閲覧者は毎回アポイントキーの購入が必要となります。【００２２】  登録されている情報は３ヶ月で自動的に抹消されるために、見た目の情報量は多いが使えない古い情報という可能性は低くなります。【００２３】  情報登録は、情報を登録する地域、カテゴリ（例えば正社員求人）、情報タイトル、詳細情報となります。
ここで有料情報とすれば、ログインして情報を閲覧している誰でも情報登録者に連絡を取ることが出来ます。【００２４】  ログインしていない閲覧者は、この情報を見ることは出来ますが情報登録者に連絡をとる事が出来ません。
有料情報でない場合には、情報閲覧者はサイトに費用を払うことで、希望地域の指定カテゴリ内の情報に対してのみ、その情報登録者に連絡を取ることが出来ます。【００２５】登録された情報は、直ぐには掲載されません。
メールアドレスや禁止ワードをコンピュータでチェックし、さらに人による内容チェックを済ませた情報だけが掲載されます。
これは、掲示板で問題となる他人に対する誹謗・中傷であったり、犯罪行為を未然に防ぐ為と、課金制度の基本となっている最初はサイトを経由して問い合わせをすることを守らせるためです。【００２６】  個人情報を掲載しないサイトですから、掲載される情報の中に個人情報があってはおかしい。単純なことですが、この事が掲載情報のチェックを可能にしました。
他人のなりすましまではチェックできませんが、ネット上での誹謗・中傷であれば、人名が情報に含まれることが問題となりますので、登録された情報内に人名やメールアドレス、電話番号等の情報が含まれた場合には情報を登録させないことが可能となります。【００２７】  掲載されている情報は、削除しか出来ません。
修正が必要な場合は、以前の情報を削除し、新規の情報を登録していただきます。【００２８】  有料情報の場合、掲載された後にサイトから料金の連絡が届きます。
指定の口座に料金を支払うと、掲載された情報は有料情報として「連絡を取る」ボタンが追加されます。
【図１】
2010086507.tif 000003
【図２】
2010086507.tif 000004
【図３】
2010086507.tif 000005
【図４】
2010086507.tif 000006
【図５】
2010086507.tif 000007
【手続補正書】
【提出日】平成20年12月8日(2008.12.8)
【手続補正２】
【補正対象書類名】明細書
【補正対象項目名】全文
【補正方法】変更
【補正の内容】
【発明の詳細な説明】
【技術分野】
【０００１】この発明は、インターネットを介して個人情報を扱うサイト運営に関する。
【発明の効果】
【０００２】
【０００３】  サイト内のデータベースを、あえて個人情報の一部を欠いた不完全な状態とし、個人名や住所、電話番号などの情報は情報登録者がデータベースと分離し、必要とされるときにインターネットメールで、必要な情報だけを必要とされる人に提供することで、個人情報漏洩を未然に防ぐことが可能となります。
【０００４】  また、必ず情報登録者にインターネットメールで連絡を入れ、不足している情報を得ないことには情報を利用できないために、必ず課金出来る仕組みとなります。
【効果をもたらした工夫】
【０００５】  フリーメール、またはメールアドレスより個人を特定できないメールシステムを使用することにより、情報登録者は、サイト運営者からも個人を特定できなくなります。
【０００６】  サイトのサービスを受けるための会員入会時にフリーメール、またはメールアドレスより個人を特定できないメールシステムを使用することにより、サービスを受けるためにログインするために登録時のメールアドレスを入力することで、情報を登録する場合も、利用する場合もメールアドレスを意識せずにサービスを受けることが出来ます。
【０００７】  有料で登録された情報は、詳細から情報登録者に直接連絡が取れ、問い合わせ欄に自分の個人情報を書かない限り、情報登録者にはログイン時のメールアドレスと問い合わせ内容だけが伝わります。
この事は、会社の求人情報などでより詳しいことが聞きたい求職者にとって、自分の情報を明かすことなく問い合わせが出来、求職者の情報だけを集めているような広告の対策となります。
【０００８】  情報利用者からの課金では、サイト内カテゴリ毎に日々異なるキーワードを設定することにより、１日だけ自由に情報登録者に連絡を取ることが出来る仕組みとなります。
サイトのルールとして、利用時間を制限（仮に朝１０時〜翌日朝６時までを１日とする）することで、毎回の利用に対して課金が可能となります。
【０００９】  問い合わせの仕組みより、登録者のアドレスは表示されませんので、問い合わせをして回答が帰ってきた登録者以外のアドレスは、情報利用者の手元には残りません。従って連絡先のアドレス情報を集めて、
【従来の手法】
【００１０】  この種の情報を集めたデータベースでは、一元で管理することが常識であり、最初に登録者のデータを詳細まで入力する形となります。
登録された情報に関して、個々の条件に合わせて検索された後、指定された内容だけがディスプレイに表示されたり、プリントされたりします。
情報が全てデータベース内に存在するため、結果は即時表示またはプリントされます。
【従来手法の問題点】
【００１１】  個人情報保護の観点から言えば、登録された情報にたいしサイト運営者が掲載情報のチェックを行うことが難しいが有ります。
入力内容が複数から選択であれば問題有りませんが、自由に登録者が情報を入力できる形になっていると、入力された内容に、個人情報及び他人の情報など掲載することに問題がある内容の情報であっても、判断が非常に難しくなります。
【００１２】  また、情報を扱うサイトとしても、情報の遺漏や改ざん防止にスタッフの隔離や、サーバーのセキュリティーなど、多大な費用が必要となります。
さらに費用を掛けたから万全かと言えば、些細なことからトラブルが発生しますので、費用を掛けたらある程度は安全といえるだけが現状で、根本的な解決策が無いのが現実です。
【００１３】  課金としても、就職が決まったことによる成功報酬や、掲載することに対する掲載料的な内容がほとんどで、求職者への直接アプローチであれば、さながら出会い系サイトで見受けられる、連絡は全てサイト内だけを利用し、回数に対し課金する仕組み程度です。
【実施例】
【００１４】  個人情報分離型情報発信サイトを立ち上げます。
利用者は、サイトにログインすることで全てのサービスを受けられますが、ログインしないことにはサイト内の情報を閲覧出来るだけとなります。
ログインするには会員となる必要がありますが、ここでフリーメールのメールアドレス登録（今回はＧｍａｉｌ使用）とパスワード、後に年齢で問題が出ないように生まれ年の登録をさせます。【００１５】  登録完了後、フリーメールとパスワードを入力してログインすることでサービスを受けることが出来ます。【００１６】  情報を閲覧するには先ず地域を指定し、次にカテゴリ（求人・求職など）により検索する情報を指定します。
検索する情報を絞り込みたい場合は、キーワードを入力することで絞り込みも可能です。
条件に合う情報の一覧が表示され、さらに詳細情報として登録されている個々の情報を見ることが出来ます。【００１７】  詳細情報で今までのこの種のサイトと大きく異なることは、登録者の名前や住所、連絡先といった情報が書かれていないことです。
有料情報（登録者が事前に費用を払っている）では、「連絡を取る」ボタンが有りますので、これをクリックすることで画面上に質問欄が表示され、この質問欄に、情報登録者に問い合わせしたいことを記入します。【００１８】  情報登録者の連絡先は画面には表示さず、以後閲覧者が情報登録者に連絡を取る手段はサイトからか、情報登録者からの回答のメールアドレスだけとなります。
閲覧者のメールアドレスなどが記入されていなくても、ログイン時に入力したフリーメールのアドレスがメールに付加されますので、情報登録者は問い合わせに対して回答することが出来ます。【００１９】  当然、閲覧者が自分の情報（会社名や個人名、メールアドレスなど）を提示することが、情報登録者からも回答が届きやすいと思いますが、共に個人情報をさらさずに連絡を取ることが可能となります。【００２０】  無料情報（情報登録者が費用を払っていない場合）には、「連絡を取る」ボタンが表示されないため、サイト運営者にアポイントキーの発行を依頼します。
アポイントキーはカテゴリにより料金が異なりますので、サイト運営者からのメールに従い所定の料金を指定口座に振り込むと、サイト運営者から期間限定のアポイントキーがメールにて届きます。【００２１】  このアポイントキーを情報検索の画面で入力すると、そのカテゴリ内の全ての情報に対して「連絡を取る」ボタンが表示され、情報登録者に問い合わせが可能となります。
アポイントキーは日々変更されるため、閲覧者は毎回アポイントキーの購入が必要となります。【００２２】  登録されている情報は３ヶ月で自動的に抹消されるために、見た目の情報量は多いが使えない古い情報という可能性は低くなります。【００２３】  情報登録は、情報を登録する地域、カテゴリ（例えば正社員求人）、情報タイトル、詳細情報となります。
ここで有料情報とすれば、ログインして情報を閲覧している誰でも情報登録者に連絡を取ることが出来ます。【００２４】  ログインしていない閲覧者は、この情報を見ることは出来ますが情報登録者に連絡をとる事が出来ません。
有料情報でない場合には、情報閲覧者はサイトに費用を払うことで、希望地域の指定カテゴリ内の情報に対してのみ、その情報登録者に連絡を取ることが出来ます。【００２５】登録された情報は、直ぐには掲載されません。
メールアドレスや禁止ワードをコンピュータでチェックし、さらに人による内容チェックを済ませた情報だけが掲載されます。
これは、掲示板で問題となる他人に対する誹謗・中傷であったり、犯罪行為を未然に防ぐ為と、課金制度の基本となっている最初はサイトを経由して問い合わせをすることを守らせるためです。【００２６】  個人情報を掲載しないサイトですから、掲載される情報の中に個人情報があってはおかしい。単純なことですが、この事が掲載情報のチェックを可能にしました。
他人のなりすましまではチェックできませんが、ネット上での誹謗・中傷であれば、人名が情報に含まれることが問題となりますので、登録された情報内に人名やメールアドレス、電話番号等の情報が含まれた場合には情報を登録させないことが可能となります。【００２７】  掲載されている情報は、削除しか出来ません。
修正が必要な場合は、以前の情報を削除し、新規の情報を登録していただきます。【００２８】  有料情報の場合、掲載された後にサイトから料金の連絡が届きます。
指定の口座に料金を支払うと、掲載された情報は有料情報として「連絡を取る」ボタンが追加されます。
【図面の簡単な説明】
【００２９】
【図１】  情報登録者を含めたデータベースシステム。  システム運用状態を、簡単に説明した図面です。
【図２】  個人情報の流れ。  サイトに掲載されない個人情報の扱いを説明した図面です。
【図３】  情報の流れ（登録者無料情報）  無料で登録された情報に、問い合わせする場合のフローを説明した図面です。
【図４】  情報の流れ（登録者有料情報）  有料で登録された情報に、問い合わせする場合のフローを説明した図面です。
【図５】  課金システム  個人情報を含まない情報故にサイト経由で連絡を取る行為に対して課金できることを説明した図面です。